(57)【要約】【課題】使用者が顔を映し出すために鏡を見たとき、その鏡を見ながら視線を逸らすことなく、照明のスイッチの「ＯＮ」「ＯＦＦ」操作したり、その照明の光量の調整を行うことができる照明付き鏡を提供する。【解決手段】鏡１と、この鏡１が装着されるベース部材２と、前記鏡１の前方を照射するようにしたＬＥＤ３とを備え、前記鏡１の表面にタッチ域６ａを有する前記ＬＥＤ３のタッチスイッチ６を設けたものとしている。【選択図】図１
0003184682.tif 000002
【実用新案登録請求の範囲】
【請求項１】
鏡（１）と、この鏡（１）が装着されるベース部材（２）と、前記鏡（１）の前方を照射するようにしたＬＥＤ（３）とを備え、前記鏡（１）の表面にタッチ域（６ａ）を有する前記ＬＥＤ（３）のタッチスイッチ（６）を設けたことを特徴とする照明付き鏡。
【請求項２】
前記タッチ域（６ａ）は、鏡（１）の表面の下部の略中央に位置させたものとしていることを特徴とする請求項１記載の照明付き鏡。
【請求項３】
前記タッチ域（６ａ）は、鏡（１）の表面の四隅の少なくとも一個所に位置させたものとしていることを特徴とする請求項１記載の照明付き鏡。
【請求項４】
前記タッチ域（６ａ）に一度触れると前記ＬＥＤ（３）の光量が最大となって点灯し、前記タッチ域（６ａ）にそのまま触れ続けると前記ＬＥＤ（３）の光量が徐々に減少し、前記タッチ域（６ａ）に再度触れると、前記ＬＥＤ（３）が消灯するようにしていることを特徴とする請求項１〜３の何れかに記載の照明付き鏡。
【請求項５】
前記鏡（１）は、鏡面の７〜９割の面積を占める平面鏡（１ａ）と、鏡面の１〜３割の面積を占める凹面鏡（１ｂ）とからなり、平面鏡（１ａ）の上方に凹面鏡（１ｂ）を配置したものとしていることを特徴とする請求項１〜４の何れかに記載の照明付き鏡。
【考案の詳細な説明】
【技術分野】
【０００１】
この考案は、夜間等の暗闇でも手鏡、卓上鏡等として使用することのできる照明付き鏡に関するものである。
【背景技術】
【０００２】
従来、この種の照明付き鏡としては、例えば図６、７に示したように、上ケース１１及び下ケース１２を有し、この上下ケース１１、１２にそれぞれ手鏡用のミラー１３、１４が設けられた携帯用手鏡が存在する。この携帯用手鏡は、ミラー１３と上ケース１１との隙間に、光透過窓１５と対応してＬＥＤ１６が設けられている。そして、この携帯用手鏡は、下ケース１２の回動軸部１７内に、操作ボタン１８、スイッチ１９、電源２０等が配置されるとしている（特許文献１）。
【０００３】
このように構成された従来の携帯用手鏡は、操作ボタン１８を押圧すると、スイッチ１９が「ＯＮ」の状態になり、閉回路が形成され、ＬＥＤ１６が点灯し、再度操作ボタン１８を押圧すると、スイッチ１９が「ＯＦＦ」の状態になり、閉回路が解除されて、ＬＥＤ１６が消灯するとしている。
【０００４】
さらに、この種の照明付き鏡としては、例えば図８、９に示したように、ベース部材２１と、鏡２２と、鏡枠２３と、照明具を構成する点光源としてのＬＥＤ２４とを備えた卓上鏡が存在する。そして、この卓上鏡は、ベース部材２１の右側における高さ方向の中央よりも少し下の位置には、ＬＥＤ２４の光量を調整するためのダイヤル２５が回転自在に配設されているとしている（特許文献２）。
【０００５】
このように構成された従来の卓上鏡は、ダイヤル２５を回してスイッチオンしてＬＥＤ２４を点灯させることで、顔を満遍なく照射することができるとしている。また、ダイヤル２５の回転角度を調整することで、ＬＥＤ２４の光量を調整することができるとしている。
【先行技術文献】
【特許文献】
【０００６】
【特許文献１】実用新案登録第３１１９５９５号公報
【特許文献２】実用新案登録第３１２８２２３号公報
【考案の概要】
【考案が解決しようとする課題】
【０００７】
しかしながら、特許文献１に記載された携帯用手鏡では、操作ボタン１８が下ケース１２の回動軸部１７内に配置されているため、使用者が顔を映し出すためにミラー１３、１４を見たとき、操作ボタン１８はミラー１３、１４の側部に位置することになる。この操作ボタン１８は、使用者がミラー１３、１４を正面から見ながら操作するので、ミラー１３、１４の側部に位置していると、その側部に視線を逸らさなければならず、操作ボタン１８の操作がし難いという課題を有していた。
【０００８】
さらに、特許文献２に記載された卓上鏡でも、ダイヤル２５がベース部材２１の右側における高さ方向の中央よりも少し下の位置に配置されているため、使用者が顔を映し出すために鏡２２を見たとき、ダイヤル２５は鏡２２の右側部に位置することになる。このダイヤル２５も、使用者が鏡２２を正面から見ながら操作するので、鏡２２の右側部に位置していると、その側部に視線を逸らさなければならず、ダイヤル２５の操作がし難いという課題を有していた。
【０００９】
そこで、この考案は、上記従来の課題を解決するものであり、使用者が顔を映し出すために鏡を見たとき、その鏡を見ながら視線を逸らすことなく、照明のスイッチの「ＯＮ」「ＯＦＦ」操作したり、その照明の光量の調整を行うことができる照明付き鏡を提供することを目的としてなされたものである。
【課題を解決するための手段】
【００１０】
そのため、この考案の照明付き鏡は、鏡１と、この鏡１が装着されるベース部材２と、前記鏡１の前方を照射するようにしたＬＥＤ３とを備え、前記鏡１の表面にタッチ域６ａを有する前記ＬＥＤ３のタッチスイッチ６を設けたものとしている。
【００１１】
この考案の照明付き鏡において、前記タッチ域６ａは、鏡１の表面の下部の略中央に位置させたものとしている。
【００１２】
さらに、この考案の照明付き鏡において、前記タッチ域６ａは、鏡１の表面の四隅の少なくとも一個所に位置させたものとしている。
【００１３】
また、この考案の照明付き鏡において、前記タッチ域６ａに一度触れると前記ＬＥＤ３の光量が最大となって点灯し、前記タッチ域６ａにそのまま触れ続けると前記ＬＥＤ３の光量が徐々に減少し、前記タッチ域６ａに再度触れると、前記ＬＥＤ３が消灯するようにしている。
【００１４】
そして、この考案の照明付き鏡において、前記鏡１は、鏡面の７〜９割の面積を占める平面鏡１ａと、鏡面の１〜３割の面積を占める凹面鏡１ｂとからなり、平面鏡１ａの上方に凹面鏡１ｂを配置したものとしている。
【考案の効果】
【００１５】
この考案の照明付き鏡は、以上に述べたように構成されているので、使用者が顔を映し出すために鏡を見たとき、その鏡を見ながら視線を逸らすことなく、照明のスイッチの「ＯＮ」「ＯＦＦ」操作したり、その照明の光量の調整を行うことができるものとなり、その操作が非常にし易いものとなった。
【図面の簡単な説明】
【００１６】
【図１】この考案の照明付き鏡の一実施形態を示しており、手鏡としての使用状態を示す斜視図である。
【図２】図１に示すこの考案の照明付き鏡の卓上鏡としての使用状態を示す斜視図である。
【図３】図１に示すこの考案の照明付き鏡の内部の状態を示す分解斜視図である。
【図４】この考案の照明付き鏡の他実施形態を示しており、正面側から見た状態を示す斜視図である。
【図５】図４に示すこの考案の照明付き鏡を背面側から見た状態を示す斜視図である。
【図６】従来の照明付き鏡の一例を示す斜視図である。
【図７】図６に示す従来の照明付き鏡の内部の状態を示す分解図である。
【図８】従来の照明付き鏡の他の例を示す斜視図である。
【図９】図８に示す従来の照明付き鏡の正面図である。
【考案を実施するための形態】
【００１７】
以下、この考案の照明付き鏡を実施するための形態を、図面に基づいて詳細に説明する。
【００１８】
図１〜３はこの考案の照明付き鏡の一実施形態を示しており、図４、５はこの考案の照明付き鏡の他の実施形態を示している。これらの図に示したように、この考案の照明付き鏡は、携帯に適した化粧用の手鏡、卓上鏡等として使用することのできるものとしており、鏡１と、この鏡１が装着されるベース部材２と、前記鏡１の前方を照射するようにしたＬＥＤ３とを備えている。
【００１９】
前記鏡１は、図１〜３に示したものでは、縦長の長方形状とし、鏡面の７〜９割の面積を占める平面鏡１ａと、横長の長方形状とし、鏡面の１〜３割の面積を占める凹面鏡１ｂとからなり、平面鏡１ａの上方に凹面鏡１ｂを配置したものとしており、図４、５に示したものでは、縦長の長方形状とした平面鏡１ａのみからなるものとしている。
【００２０】
前記ベース部材２は、図１〜３に示したものでは、ケース体２ａと蓋体２ｂからなるものとしており、ケース体２ａに前記鏡１が設けられている。ケース体２ａと蓋体２ｂは、回動軸によって互いに回動自在に連結され、任意の角度に開いて、その角度で止めておけるようにしており、図１に示したような角度に開いた場合は、蓋体２ｂを手に持って手鏡として使用することができるようにしており、図２に示したような角度に開いた場合は、蓋体２ｂを机やテーブルに置く等して卓上鏡として使用することができるようにしている。また、前記ベース部材２は、図４、５に示したものでは、ケース体２ａのみからなるものとしており、このケース体２ａに前記鏡１が設けられている。そして、ケース体２ａは、裏面に折り畳み自在とした支持脚４が取り付けられており、この支持脚４で机やテーブルに立てて置く等して卓上鏡として使用することができるようにしている。
【００２１】
前記ＬＥＤ３は、例えば図３に示したように、平面鏡１ａとケース体２ａの隙間に設けられている。平面鏡１ａの両側部には、透明又は半透明とした複数の透光部５が設けられており、平面鏡１ａとケース体２ａの隙間に設けられたＬＥＤ３は、これら複数の透光部５に面したものとしており、これらの透光部５を通して、鏡１の前方を照射するようにしている。なお、前記ＬＥＤ３は、図示していないが、平面鏡１ａとケース体２ａの隙間ではなく、ケース体２ａの両側部に突設するなどして、鏡１の前方を照射するようにしてもよい。
【００２２】
さらに、この考案の照明付き鏡は、前記鏡１の表面にタッチ域６ａを有する前記ＬＥＤ３のタッチスイッチ６を設けたものとしている。
【００２３】
前記タッチ域６ａは、例えば小リング状に形成しており、図示したように、鏡１の表面の下部の略中央に位置させたものとしたり、図示していないが、鏡１の表面の四隅の少なくとも一個所に位置させたものとしており、使用者が顔を映し出すために鏡を見たときに、邪魔にならず、しかもその鏡を見ながら視線を逸らすことなく、そのタッチ域６ａに触れ易いようにしている。
【００２４】
前記タッチスイッチ６は、指先等で鏡１の表面のタッチ域６ａに一度触れると、スイッチ「ＯＮ」の状態になり、ＬＥＤ３が点灯し、前記タッチ域６ａに再度触れると、スイッチ「ＯＦＦ」の状態になり、ＬＥＤ３が消灯するようにしている。この場合、前記タッチスイッチ６は、前記タッチ域６ａに一度触れるとスイッチ「ＯＮ」の状態になり、ＬＥＤ３の光量が最大となって点灯するようにし、そのままタッチ域６ａに触れ続けるとＬＥＤ３の光量が徐々に減少するようにして、ＬＥＤ３の光量を調整できるようにすることもできる。
【００２５】
前記タッチスイッチ６は、鏡１の表面のタッチ域６ａに静電気を蓄えさせ、人の指先等が触れることで、人体を抵抗体として床面等のグラウンドに流れる微弱電流を感知することにより、半導体スイッチを作動させるものとしているが、鏡１の表面のタッチ域６ａに人の指先等が触れることによりＬＥＤ３の点灯、消灯の切換えや光量を調整できるものであればよい。
【００２６】
前記ＬＥＤ３の電源７は、例えばボタン型電池等とすることができ、平面鏡１ａ又は凹面鏡１ｂとケース体２ａの隙間に配置したものとしており、この電源７とタッチスイッチ６、タッチスイッチ６とタッチ域６ａとがそれぞれリード線Ｌを介して電気接続されており、またタッチスイッチ６とＬＥＤ３とがリード線Ｌを介して電気接続されている。なお、電源７とタッチスイッチ６の間には、リード線Ｌを介して電気接続された電源スイッチ８を、ケース体２ａの背面から操作できるようにして設けたものとしている。
【００２７】
以上のように構成したこの考案の照明付き鏡は、次のようにして使用される。
【００２８】
先ず、この考案の照明付き鏡は、ケース体２ａと蓋体２ｂを、図１に示したような角度に開き、蓋体２ｂを手に持って手鏡として使用する場合には、使用者が、指先等で鏡１の表面のタッチ域６ａに一度触れると、スイッチ「ＯＮ」の状態になり、ＬＥＤ３が点灯する。すると、ＬＥＤ３が鏡１の前方を照射するので、夜間等の暗闇でも、使用者の顔を映し出すことができ、化粧や化粧直し等をすることができる。
【００２９】
さらに、この考案の照明付き鏡は、ケース体２ａと蓋体２ｂを、図２に示したような角度に開き、蓋体２ｂを机やテーブルに置く等して卓上鏡として使用する場合や、ケース体２ａの裏面に折り畳み自在として取り付けられた支持脚４を、図５に示したように起こして、この支持脚４で机やテーブルに立てて置く等して卓上鏡として使用する場合にも、同様に使用者が、指先等で鏡１の表面のタッチ域６ａに一度触れると、スイッチ「ＯＮ」の状態になり、ＬＥＤ３が点灯する。すると、ＬＥＤ３が鏡１の前方を照射するので、夜間等の暗闇でも、使用者の顔を映し出すことができ、化粧や化粧直し等をすることができる。
【００３０】
また、この考案の照明付き鏡において、前記タッチ域６ａに一度触れるとスイッチ「ＯＮ」の状態になり、ＬＥＤ３の光量が最大となって点灯するようにし、そのままタッチ域６ａに触れ続けるとＬＥＤ３の光量が徐々に減少するようにしているものでは、使用時の暗闇の暗さの程度に応じて、ＬＥＤ３の光量を簡単に調整することができるので、使い勝手のよいものとなる。
【００３１】
そして、この考案の照明付き鏡は、化粧や化粧直し等が終われば、前記タッチ域６ａに再度触れると、スイッチ「ＯＦＦ」の状態になり、ＬＥＤ３が消灯することになる。
【００３２】
このような場合、使用者が指先等で触れる鏡１の表面のタッチ域６ａは、鏡１の表面の下部の略中央や、鏡１の表面の四隅の少なくとも一個所に位置させたものとしているので、使用者が顔を映し出すために鏡１を見たときに、邪魔にならず、しかもその鏡１を見ながら視線を逸らすことなく、そのタッチ域６ａに触れ易いので、操作性に優れたものとなる。
【００３３】
なお、この考案の照明付き鏡において、図１〜３に示した実施形態のように、平面鏡１ａの上方に凹面鏡１ｂを配置したものでは、この凹面鏡１ｂで化粧や化粧直し等をした部分を拡大することができるので、化粧や化粧直し等のチェックが簡単に行えるものとなる。
【符号の説明】
【００３４】
１  鏡
１ａ  平面鏡
１ｂ  凹面鏡
２  ベース部材
３  ＬＥＤ
６  タッチスイッチ
６ａ  タッチ域
【図１】
0003184682.tif 000003
【図２】
0003184682.tif 000004
【図３】
0003184682.tif 000005
【図４】
0003184682.tif 000006
【図５】
0003184682.tif 000007
【図６】
0003184682.tif 000008
【図７】
0003184682.tif 000009
【図８】
0003184682.tif 000010
【図９】
0003184682.tif 000011